(57)【要約】【課題】包装用容器、蓋付き包装用容器の優れた美観を確保することができると共に、消費者の購買意欲を確保することができ、包装用容器のデザインの高い自由度、包装用容器の所要収容量を確保するための高い設計自由度を得ることができる。【解決手段】合成樹脂製の蓋３０と、合成樹脂製の容器本体２０を備え、蓋３０が、容器本体２０に嵌め込まれる嵌合部３２と、嵌合部３２より上方まで立設する側壁３３と、平面視略矩形の天板３４を有し、天板３４の対向する二辺に対応する側壁３３・３３の近傍で且つ非隅部の領域に、上方に突出する係合部３５・３５が設けられていると共に、容器本体２０の側壁２２・２２に係合部３５・３５に係合可能な被係合部２５・２５が形成されている蓋付き包装用容器１０。【選択図】図１６
2018095266.tif 000002
【特許請求の範囲】
【請求項１】
合成樹脂製の蓋と、合成樹脂製の包装用容器を備え、
前記蓋が、前記包装用容器に嵌め込まれる嵌合部と、前記嵌合部より上方まで立設する側壁と、平面視略矩形の天板を有し、
前記天板の対向する二辺に対応する前記側壁の近傍で且つ非隅部の領域に、上方に突出する係合部が設けられていると共に、
前記包装用容器の側壁に前記係合部に係合可能な被係合部が形成されていることを特徴とする蓋付き包装用容器。
【請求項２】
前記係合部が外側に向かって下方に傾斜する傾斜面を有する略山形であり、
前記傾斜面が前記側壁に略弧状に湾曲して連なっていることを特徴とする請求項１記載の蓋付き包装用容器。
【請求項３】
前記包装用容器の前記底部の一方の対向辺箇所に対応して前記被係合部が形成されていると共に、前記底部の他方の対向辺箇所に対応して前記被係合部が形成されていることを特徴とする請求項１又は２記載の蓋付き包装用容器。
【請求項４】
前記係合部の係合面と前記被係合部の被係合面が前記天板の一辺の長さの１／３以上の長さで略倣うように係合可能になっていることを特徴とする請求項１〜３の何れかに記載の蓋付き包装用容器。
【請求項５】
前記係合部の凸部と凹部が前記被係合部の凹部と凸部にそれぞれ噛み合うように係合可能になっていることを特徴とする請求項１〜４の何れかに記載の蓋付き包装用容器。
【請求項６】
合成樹脂製の包装用容器に嵌め込まれる合成樹脂製の包装用容器の蓋であって、
前記包装用容器に嵌め込まれる嵌合部と、前記嵌合部より上方まで立設する側壁と、平面視略矩形の天板を有し、
前記天板の対向する二辺に対応する前記側壁の近傍で且つ非隅部の領域に、上方に突出する係合部が設けられ、
前記係合部が前記包装用容器の底部から側壁にかけて設けられる被係合部に係合可能になっていることを特徴とする包装用容器の蓋。
【請求項７】
前記係合部が外側に向かって下方に傾斜する傾斜面を有する略山形であり、
前記傾斜面が前記側壁に略弧状に湾曲して連なっていることを特徴とする請求項６記載の包装用容器の蓋。
【発明の詳細な説明】
【技術分野】
【０００１】
本発明は、食品、食材等が収容される合成樹脂製の蓋付き包装用容器及び包装用容器の蓋に関する。
【背景技術】
【０００２】
従来、合成樹脂製の包装用容器の蓋において、その天板の四隅に上方に突出する平面視略矩形の突出部が設けられる包装用容器の蓋が知られている（特許文献１参照）。
【先行技術文献】
【特許文献】
【０００３】
【特許文献１】意匠登録第１５４８０６３号公報
【発明の概要】
【発明が解決しようとする課題】
【０００４】
ところで、特許文献１の包装用容器の蓋には、包装用容器の底部の四隅に蓋の四隅の突出部の内側に係合可能な形状を形成することで、蓋の上側に同形状・同サイズの包装用容器を係合することが可能となる。そして、この係合構造を設けることにより、蓋を嵌め込んだ包装用容器を位置規制して安定した状態で積み重ねて設置することが可能となる。
【０００５】
しかしながら、上記包装用容器の蓋に対応して係合可能な形状を包装用容器に形成する場合、包装用容器の底部の四隅から立ち上がる側壁隅部に、突出部の角が入り込んで係合されるように内側に凹んだ形状を形成することが必要となる。包装用容器の底部の四隅から立ち上がる側壁隅部は、消費者の目を惹きやすい目立つ箇所であるため、当該箇所に内側に凹んだ形状が形成されると、包装用容器の美観を低下させると共に、容器デザインの自由度を低下させることとなる。
【０００６】
また、包装用容器の消費者の目を惹きやすい当該箇所に内側に凹んだ形状が形成されると、消費者は食品、食材等の収容量が少ない印象を与え、購買意欲を低下させる要因ともなる。また、包装用容器の底部や側壁隅部の当該箇所に内側に凹んだ形状が形成される場合、包装用容器の収容量が少なくなる傾向があり、所要の収容量を確保するための設計の自由度も低下するという問題もある。
【０００７】
本発明は上記課題に鑑み提案するものであって、包装用容器、蓋付き包装用容器の優れた美観を確保することができると共に、消費者の購買意欲を確保することができ、包装用容器のデザインの高い自由度、包装用容器の所要収容量を確保するための高い設計自由度を得ることができる蓋付き包装用容器及び包装用容器の蓋を提供することを目的とする。
【課題を解決するための手段】
【０００８】
本発明の蓋付き包装用容器は、合成樹脂製の蓋と、合成樹脂製の包装用容器を備え、前記蓋が、前記包装用容器に嵌め込まれる嵌合部と、前記嵌合部より上方まで立設する側壁と、平面視略矩形の天板を有し、前記天板の対向する二辺に対応する前記側壁の近傍で且つ非隅部の領域に、上方に突出する係合部が設けられていると共に、前記包装用容器の側壁に前記係合部に係合可能な被係合部が形成されていることを特徴とする。
これによれば、蓋の係合部を天板の対向する二辺に対応する側壁の近傍で且つ非隅部の領域に設けることにより、消費者の目を惹きやすい目立つ箇所である包装用容器の底部の四隅から立ち上がる側壁隅部に内側に凹んだ形状を形成することが不要となり、当該箇所を美しく仕上げることができる。従って、包装用容器、蓋付き包装用容器の優れた美観を確保することができると共に、包装用容器のデザインの高い自由度を得ることができる。また、底部の四隅から立ち上がる側壁隅部の内側に凹んだ形状を無くせることから、消費者は食品、食材等の収容量が少ない印象を与えることがなく、消費者の購買意欲を確保することができる。また、当該箇所の内側に凹んだ形状を無くせることができることから、包装用容器の収容量が少なくなる傾向も無くなり、包装用容器の所要収容量を確保するための高い設計自由度を得ることができる。また、係合部と被係合部の係合により、蓋が嵌め込まれる包装用容器と同形で同サイズの包装用容器を蓋に係合して載置し、蓋付き包装用容器や包装用容器を位置規制して安定した状態で積み重ねて設置することができる。
【０００９】
本発明の蓋付き包装用容器は、前記係合部が外側に向かって下方に傾斜する傾斜面を有する略山形であり、前記傾斜面が前記側壁に略弧状に湾曲して連なっていることを特徴とする。
これによれば、成形の際に局所的に過度な負担をかけることなく高強度の係合部、蓋を形成することができる。
【００１０】
本発明の蓋付き包装用容器は、前記包装用容器の前記底部の一方の対向辺箇所に対応して前記被係合部が形成されていると共に、前記底部の他方の対向辺箇所に対応して前記被係合部が形成されていることを特徴とする。
これによれば、包装用容器を一方の対向方向、他方の対向方向のいずれの方向でも蓋の係合部に係合して載置することができ、方向規制を無くして蓋付き包装用容器や包装用容器の積み重ね作業を容易にすることができる。
【００１１】
本発明の蓋付き包装用容器は、前記係合部の係合面と前記被係合部の被係合面が前記天板の一辺の長さの１／３以上の長さで略倣うように係合可能になっていることを特徴とする。
これによれば、係合部の係合面と被係合部の被係合面が天板の一辺の長さの１／３以上の長さで略倣うように係合することで、蓋と包装用容器の係合状態の安定性、蓋付き包装用容器や包装用容器の積み重ね状態の安定性をより一層高めることができる。
【００１２】
本発明の蓋付き包装用容器は、前記係合部の凸部と凹部が前記被係合部の凹部と凸部にそれぞれ噛み合うように係合可能になっていることを特徴とする。
これによれば、係合部の凸部と凹部が被係合部の凹部と凸部にそれぞれ噛み合うように係合することで、蓋と包装用容器の係合状態の安定性、蓋付き包装用容器や包装用容器の積み重ね状態の安定性をより一層高めることができる。
【００１３】
本発明の包装用容器の蓋は、合成樹脂製の包装用容器に嵌め込まれる合成樹脂製の包装用容器の蓋であって、前記包装用容器に嵌め込まれる嵌合部と、前記嵌合部より上方まで立設する側壁と、平面視略矩形の天板を有し、前記天板の対向する二辺に対応する前記側壁の近傍で且つ非隅部の領域に、上方に突出する係合部が設けられ、前記係合部が前記包装用容器の側壁に設けられる被係合部に係合可能になっていることを特徴とする。
これによれば、蓋の係合部を天板の対向する二辺に対応する側壁の近傍で且つ非隅部の領域に設けることにより、消費者の目を惹きやすい目立つ箇所である包装用容器の底部の四隅から立ち上がる側壁隅部に内側に凹んだ形状を形成することが不要となり、当該箇所を美しく仕上げることができる。従って、包装用容器、蓋付き包装用容器の優れた美観を確保することができると共に、包装用容器のデザインの高い自由度を得ることができる。また、包装用容器の底部の四隅から立ち上がる側壁隅部の内側に凹んだ形状を無くせることから、消費者は食品、食材等の収容量が少ない印象を与えることがなく、消費者の購買意欲を確保することができる。また、当該箇所の内側に凹んだ形状を無くせることができることから、包装用容器の収容量が少なくなる傾向も無くなり、包装用容器の所要収容量を確保するための高い設計自由度を得ることができる。また、係合部と被係合部の係合により、蓋が嵌め込まれる包装用容器と同形で同サイズの包装用容器を蓋に係合して載置し、蓋付き包装用容器や包装用容器を位置規制して安定した状態で積み重ねて設置することが可能となる。
【００１４】
本発明の包装用容器の蓋は、前記係合部が外側に向かって下方に傾斜する傾斜面を有する略山形であり、前記傾斜面が前記側壁に略弧状に湾曲して連なっていることを特徴とする。
これによれば、成形の際に局所的に過度な負担をかけることなく高強度の係合部、蓋を形成することができる。
【発明の効果】
【００１５】
本発明によれば、包装用容器、蓋付き包装用容器の優れた美観を確保することができると共に、消費者の購買意欲を確保することができ、包装用容器のデザインの高い自由度、包装用容器の所要収容量を確保するための高い設計自由度を得ることができる。また、係合部と被係合部の係合により、蓋が嵌め込まれる包装用容器と同形で同サイズの包装用容器を蓋に係合して載置し、蓋付き包装用容器を位置規制して安定した状態で積み重ねて設置することができる。
【図面の簡単な説明】
【００１６】
【図１】本発明の実施形態の包装用容器の蓋の平面図。
【図２】実施形態の包装用容器の蓋の底面図。
【図３】実施形態の包装用容器の蓋の正面図。
【図４】実施形態の包装用容器の蓋の背面図。
【図５】実施形態の包装用容器の蓋の右側面図。
【図６】実施形態の包装用容器の蓋の左側面図。
【図７】実施形態の包装用容器の蓋のＡ−Ａ端面図。
【図８】本発明の実施形態における包装用容器の平面図。
【図９】実施形態における包装用容器の底面図。
【図１０】実施形態における包装用容器の正面図（背面図と同一）。
【図１１】実施形態における包装用容器の右側面図（左側面図と同一）。
【図１２】実施形態における包装用容器のＢ−Ｂ端面図。
【図１３】本発明の実施形態の包装用容器の蓋（摘み位置変形例の蓋）の参考斜視図。
【図１４】実施形態における包装用容器の参考斜視図。
【図１５】本発明の実施形態の蓋付き包装用容器の参考斜視図（蓋は摘み位置変形例の蓋）。
【図１６】（ａ）は実施形態の包装用容器の蓋に包装用容器を係合した状態の平面説明図、（ｂ）は実施形態の蓋付き包装用容器を互いに積み重ねた状態を示す正面説明図。
【図１７】本発明の実施形態の変形例における包装用容器の平面図。
【図１８】実施形態の変形例における包装用容器の底面図。
【図１９】実施形態の変形例における包装用容器の正面図（背面図と同一）。
【図２０】実施形態の変形例における包装用容器の右側面図（左側面図と同一）。
【図２１】実施形態の変形例における包装用容器のＣ−Ｃ端面図。
【図２２】（ａ）〜（ｆ）は本発明の第１〜第６変形例の包装用容器の蓋に対応する変形例の包装用容器を係合した状態の平面説明図。
【図２３】（ａ）〜（ｆ）は本発明の第７〜第１２変形例の包装用容器の蓋に対応する変形例の包装用容器を係合した状態の平面説明図。
【図２４】（ａ）〜（ｆ）は本発明の第１３〜第１８変形例の包装用容器の蓋に対応する変形例の包装用容器を係合した状態の平面説明図。
【発明を実施するための形態】
【００１７】
〔実施形態の蓋付き包装用容器及び包装用容器の蓋〕
本発明の実施形態の蓋付き包装用容器１０は、図１〜図１６に示すように、平面視略矩形で上方に開口する箱型の包装用容器である容器本体２０と、容器本体２０に開閉自在に内嵌合される平面視略矩形の蓋３０とから構成される。容器本体２０、蓋３０は、それぞれ合成樹脂で形成され、図示例の容器本体２０、蓋３０は、それぞれ透明な合成樹脂で形成されている。
【００１８】
容器本体２０は、平面視略矩形で略中央が周囲よりも盛り上がっている底部２１を有し、底部２１の周囲からは側壁２２が起立するように形成され、側壁２２は上方に向かって外側に拡がるように形成されている。側壁２２の上側には段差状の被嵌合部２３が全周に亘って設けられており、被嵌合部２３の上側から外側に張り出すようにしてフランジ部２４が全周に亘って設けられている。
【００１９】
容器本体２０の底部２１の各辺の略中央に対応する位置の側壁２２に、底面視略Ｗ字形の被係合部２５が形成されており、被係合部２５は、後述する蓋３０の係合部３５と係合可能になっている。本実施形態では、底部２１の四辺の全てに対応して側壁２２に被係合部２５が設けられており、底部２１の一方の対向辺箇所に対応して被係合部２５が側壁２２に形成されていると共に、底部２１の他方の対向辺箇所にも対応して被係合部２５が側壁２２に形成されている。
【００２０】
蓋３０は、外周に設けられるフランジ３１と、フランジ３１の内側で下方に突出して形成され、全周に亘って設けられている嵌合部３２を有する。嵌合部３２は、容器本体２０の被嵌合部２３に着脱自在に嵌め込み可能になっており、本実施形態では、蓋３０の嵌合部３２が容器本体２０の被嵌合部２３に着脱自在に内嵌合可能になっている。
【００２１】
更に、蓋３０は、嵌合部３２より上方まで立設する側壁３３と、平面視略矩形の天板３４を有する。本実施形態では、嵌合部３２の内端から側壁３３が上方に立設され、側壁３２の上端から湾曲して略平面状の天板３４に連なっている。天板３４の対向する二辺の側壁３３・３３の近傍で且つ非隅部の領域には、上方に突出するようにして係合部３５・３５が設けられている。図示例の天板３４は一方の対向する二辺と他方の対向する二辺を有する平面視略矩形であり、そのうちの一方の対向する二辺に対応する側壁３３・３３の近傍で且つ非隅部の領域に平面視略Ｗ字形の係合部３５・３５が設けられている。
【００２２】
本実施形態の係合部３５は、外側に向かって下方に傾斜する傾斜面３５１を有する略山形であり、側壁３３が上端から湾曲して略平面状の天板３４に連なっている領域以外の領域で、傾斜面３５１が側壁３２に略弧状に湾曲して連なるように形成されている。係合部３５の内側の係合面３５２と、被係合部２５の外面に相当する被係合面２５１は略倣う形状で係合可能に形成されており、図示例では、係合部３５の係合面３５２と被係合部２５の被係合面２５１が天板３４の一辺の長さの１／３以上の長さで略倣うようにして係合可能になっている。
【００２３】
更に、本実施形態では、平面視における係合部３５の丸みを帯びた凸部３５３と丸みを帯びた凹部３５４が、底面視における被係合部２５の丸みを帯びた凹部２５２と丸みを帯びた凸部２５３にそれぞれ噛み合うように係合可能になっており、図示例では、係合部３５の中央の凹部３５４とその両側の凸部３５３・３５３が、被係合部２５の中央の凸部２５３とその両側の凹部２５２・２５２にそれぞれ噛み合うように係合可能になっている。
【００２４】
この係合部３５と被係合部２５の係合構造により、図１６に示すように、蓋３０が嵌め込まれた容器本体２０と同形で同サイズの容器本体２０を蓋３０に係合して載置し、蓋付き包装用容器１０を係合で位置規制した状態で積み重ねることができる。
【００２５】
本実施形態によれば、蓋３０の係合部３５を天板３４の対向する二辺に対応する側壁３３・３３の近傍で且つ非隅部の領域に設けることにより、消費者の目を惹きやすい目立つ箇所である包装用容器の底部の四隅から立ち上がる側壁隅部に内側に凹んだ形状を形成することが不要となり、当該箇所を美しく仕上げることができる。従って、包装用容器である容器本体２０、蓋付き包装用容器１０の優れた美観を確保することができると共に、包装用容器である容器本体２０のデザインの高い自由度を得ることができる。
【００２６】
また、包装用容器の底部の四隅から立ち上がる側壁隅部の内側に凹んだ形状を無くせることから、消費者は食品、食材等の収容量が少ない印象を与えることがなく、消費者の購買意欲を確保することができる。また、当該箇所の内側に凹んだ形状を無くせることができることから、包装用容器の収容量が少なくなる傾向も無くなり、包装用容器である容器本体２０の所要収容量を確保するための高い設計自由度を得ることができる。また、係合部３５と被係合部２５の係合により、蓋が嵌め込まれる容器本体２０と同形で同サイズの容器本体２０を蓋３０に係合して載置し、蓋付き包装用容器１０や容器本体２０を位置規制して安定した状態で積み重ねて設置することができる。
【００２７】
また、蓋３０の係合部３５を外側に向かって下方に傾斜する傾斜面３５１を有する略山形とし、傾斜面３５１を側壁３３に略弧状に湾曲して連なるように形成することにより、成形の際に局所的に過度な負担をかけることなく高強度の係合部３５、蓋３０を形成することができる。また、容器本体２０の底部２１の一方の対向辺箇所に対応して被係合部２５を形成すると共に、底部２１の他方の対向辺箇所に対応して被係合部２５を形成することにより、蓋付き包装用容器１０や容器本体２０を一方の対向方向、他方の対向方向のいずれの方向でも蓋３０の係合部３５に係合して載置することができ、方向規制を無くして蓋付き包装用容器１０や容器本体２０の積み重ね作業を容易化することができる。
【００２８】
また、蓋３０の係合部３５の係合面３５２と容器本体２０の被係合部２５の被係合面２５１が天板３４の一辺の長さの１／３以上の長さで略倣うように係合することにより、蓋３０と容器本体２０の係合状態の安定性、蓋付き包装用容器１０や容器本体２０の積み重ね状態の安定性をより一層高めることができる。また、蓋３０係合部３５の凸部３５３と凹部３５４が容器本体２０の被係合部２５の凹部２５２と凸部２５３にそれぞれ噛み合うように係合することによっても、蓋３０と容器本体２０の係合状態の安定性、蓋付き包装用容器１０や容器本体２０の積み重ね状態の安定性をより一層高めることができる。
【００２９】
〔実施形態の変形例の蓋付き包装用容器〕
実施形態の蓋付き包装用容器１０における包装用容器である容器本体２０は、本発明の趣旨の範囲内で適宜であり、例えば図１７〜図２１に示すように、側壁２２αの高さが上述の容器本体２０の側壁２２の高さよりも低い容器本体２０αとしてもよい。この容器本体２０αのその他の構成は上述の容器本体２０と同一であり、蓋３０が着脱自在に嵌め込み可能であると共に、係合部３５と被係合部２５の係合により、蓋付き包装用容器１０や容器本体２０αを位置規制して安定した状態で積み重ねて設置することが可能であり、上述の容器本体２０による蓋付き包装用容器１０と同様の作用効果を奏する。
【００３０】
〔本明細書開示発明の包含範囲〕
本明細書開示の発明は、発明として列記した各発明、実施形態の他に、適用可能な範囲で、これらの部分的な内容を本明細書開示の他の内容に変更して特定したもの、或いはこれらの内容に本明細書開示の他の内容を付加して特定したもの、或いはこれらの部分的な内容を部分的な作用効果が得られる限度で削除して上位概念化して特定したものを包含する。そして、本明細書開示の発明には下記変形例や追記した内容も含まれる。
【００３１】
例えば本発明における係合部には、天板の対向する二辺に対応する側壁の近傍で且つ非隅部の領域に上方に突出するように設けられる適宜の構成が含まれ、又、本発明における被係合部には、包装用容器である容器本体の側壁に係合部に係合可能に形成される適宜の構成が含まれ、これらの具体例として図２２〜図２４の例も含まれる。尚、以下の具体例でも、蓋３０ａ等の係合部３５ａ等は外側に向かって下方に傾斜する傾斜面を有する略山形で、傾斜面が側壁に略弧状に湾曲して連なるように形成することが好ましく、又、蓋３０ａ等の係合部３５ａ・３５ａ等が線対称の形状の具体例では、容器本体２０ａの底部の一方の対向辺箇所と他方の対向辺箇所の双方に対応して被係合部２５ａ等を設けることが可能である。
【００３２】
図２２（ａ）の例は、蓋３０ａの天板３４ａに係合部３５よりも長さの短い係合部３５ａが形成されており、係合部３５ａは平面視略Ｗ字形で、係合部３５の凸部３５３よりも丸みを帯びた凸部３５３ａの高さが高く形成され、凹部３５４よりも丸みを帯びた凹部３５４ａの深さが深く形成されている。容器本体２０ａには、底部２１ａの一方の対向辺箇所に対応して底面視略Ｗ字形で係合部３５ａと係合可能な被係合部２５ａが形成され、被係合部２５ａは丸みを帯びた凹部２５２ａと丸みを帯びた凸部２５３ａで構成されている。係合部３５ａの凹部３５４ａ及び凸部３５３ａはそれぞれ被係合部２５ａの凸部２５３ａ及び凹部２５２ａに噛み合うように係合されて、係合部３５ａの係合面と被係合部２５ａの被係合面が略倣うように係合可能になっている。
【００３３】
図２２（ｂ）の例は、蓋３０ｂの天板３４ｂに係合部３５よりも長さの短い係合部３５ｂが形成されており、係合部３５ｂは平面視略凹形で、平面視略矩形の中央の凹部３５４ｂとその両側の平面視略矩形の凸部３５３ｂで形成されている。容器本体２０ｂには、底部２１ｂの一方の対向辺箇所に対応して底面視略凹形で係合部３５ｂと係合可能な被係合部２５ｂが形成され、被係合部２５ｂは、平面視略矩形の中央の凸部２５３ｂとその両側の平面視略矩形の凹部２５２ｂで形成されている。係合部３５ｂの凹部３５４ｂ及び凸部３５３ｂはそれぞれ被係合部２５ｂの凸部２５３ｂ及び凹部２５２ｂに噛み合うように係合されて、係合部３５ｂの係合面と被係合部２５ｂの被係合面が略倣うように係合可能になっている。
【００３４】
図２２（ｃ）の例は、蓋３０ｃの天板３４ｃに係合部３５よりも長さの短い係合部３５ｃが形成されており、係合部３５ｃは平面視略Ｗ字形で、平面視略三角形の中央の凹部３５４ｃとその両側の平面視略三角形の凸部３５３ｃで形成されている。容器本体２０ｃには、底部２１ｃの一方の対向辺箇所に対応して底面視略Ｗ字形で係合部３５ｃと係合可能な被係合部２５ｃが形成され、被係合部２５ｃは、平面視略三角形の中央の凸部２５３ｃとその両側の平面視略三角形の凹部２５２ｃで形成されている。係合部３５ｃの凹部３５４ｃ及び凸部３５３ｃはそれぞれ被係合部２５ｃの凸部２５３ｃ及び凹部２５２ｃに噛み合うように係合されて、係合部３５ｃの係合面と被係合部２５ｃの被係合面は略倣うように係合可能になっている。
【００３５】
図２２（ｄ）の例は、蓋３０ｄの天板３４ｄに係合部３５の凹部３５４よりも長さが長く浅い丸みを帯びた凹部３５４ｄとその両側の丸みを帯びた凸部３５３ｄで係合部３５ｄが形成されている。容器本体２０ｄには、底部２１ｄの一方の対向辺箇所に対応して長さが長く高さの低い丸みを帯びた凸部２５３ｄとその両側の丸みを帯びた凹部２５２ｄで被係合部２５ｄが形成されている。係合部３５ｄの凹部３５４ｄ及び凸部３５３ｄはそれぞれ被係合部２５ｄの凸部２５３ｄ及び凹部２５２ｄに噛み合うように係合されて、係合部３５ｄの係合面と被係合部２５ｄの被係合面が天板３４ｄの一辺の長さの１／３以上の長さで略倣うように係合可能になっている。
【００３６】
図２２（ｅ）の例は、蓋３０ｅの天板３４ｅに係合部３５の凹部３５４よりも長さが長く浅い丸みを帯びた凹部３５４ｅとその両側の丸みを帯びた凸部３５３１ｅ、３５３２ｅで係合部３５ｅが形成され、凸部３５３１ｅの高さは凸部３５３２ｅの高さよりも高くなっている。容器本体２０ｅには、底部２１ｅの一方の対向辺箇所に対応して長さが長く高さの低い丸みを帯びた凸部２５３ｅとその両側の丸みを帯びた凹部２５２１ｅ、２５２２ｅで被係合部２５ｅが形成され、凹部２５２１ｅの深さは凹部２５２２ｅの深さよりも深くなっている。係合部３５ｅの凸部３５３１ｅ、凹部３５４ｅ、凸部３５３２ｅは、それぞれ被係合部２５ｅの凹部２５２１ｅ、凸部２５３ｅ、凹部２５２２ｅに噛み合うように係合されて、係合部３５ｅの係合面と被係合部２５ｅの被係合面が天板３４ｅの一辺の長さの１／３以上の長さで略倣うように係合可能になっている。
【００３７】
図２２（ｆ）の例は、蓋３０ｆの天板３４ｆに一端部に内側に突出する凸部３５３ｆを有する平面視略Ｌ字形の係合部３５ｆが非隅部の領域に点対称で形成されている。容器本体２０ｆには、底部２１ｆの対向する隅部の近くに形成された凹部２５２ｆを有する被係合部２５ｆが設けられている。係合部３５ｆの凸部３５３ｆは、被係合部２５ｆの凹部２５２ｆに噛み合うように係合されて、係合部３５ｆの係合面と被係合部２５ｆの被係合面は略倣うように係合可能になっている。
【００３８】
図２３（ａ）の例は、蓋３０ｇの天板３４ｇの非隅部の領域に、形状が微妙に変化する丸みを帯びた凹部３５４ｇと丸みを帯びた凸部３５３ｇが交互に形成された係合部３５ｇが設けられている。容器本体２０ｇには、底部２１ｇの一方の対向辺箇所に対応して形状が微妙に変化する丸みを帯びた凸部２５３ｇと丸みを帯びた凹部２５２ｇが交互に形成された被係合部２５ｇが設けられている。係合部３５ｇの凹部３５４ｇ及び凸部３５３ｇと、被係合部２５ｇの凸部２５３ｇ及び凹部２５２ｇは略鋸歯状に噛み合い、係合部３５ｇの係合面と被係合部２５ｇの被係合面が天板３４ｇの一辺の長さの１／３以上の長さで略倣うように係合可能になっている。
【００３９】
図２３（ｂ）の例は、蓋３０ｈの天板３４ｈの非隅部の領域に、丸みを帯びた凹部３５４ｈと丸みを帯びた凸部３５３ｈが交互に形成された係合部３５ｈが設けられており、凹部３５４ｈの深さと凸部３５３ｈの高さが凹部３５４ｇの深さと凸部３５３ｇの高さよりも大きくなっている。容器本体２０ｈには、底部２１ｈの一方の対向辺箇所に対応して丸みを帯びた凸部２５３ｈと丸みを帯びた凹部２５２ｈが交互に形成された被係合部２５ｈが設けられており、凸部２５３ｈの高さと凹部２５２ｈの深さは凸部２５３ｇの高さと凹部２５２ｇの深さよりも大きくなっている。係合部３５ｈの凹部３５４ｈ及び凸部３５３ｈと、被係合部２５ｈの凸部２５３ｈ及び凹部２５２ｈは略鋸歯状に噛み合い、係合部３５ｈの係合面と被係合部２５ｈの被係合面が天板３４ｈの一辺の長さの１／３以上の長さで略倣うように係合可能になっている。
【００４０】
図２３（ｃ）の例は、蓋３０ｉの天板３４ｉの非隅部の領域に、平面視略矩形の凹部３５４ｉと平面視略矩形の凸部３５３ｉが交互に形成された係合部３５ｉが設けられている。容器本体２０ｉには、底部２１ｉの一方の対向辺箇所に対応して平面視略矩形の凸部２５３ｉと平面視略矩形の凹部２５２ｉが交互に形成された被係合部２５ｉが設けられている。係合部３５ｉの凹部３５４ｉ及び凸部３５３ｉと、被係合部２５ｉの凸部２５３ｉ及び凹部２５２ｉは略鋸歯状に噛み合い、係合部３５ｉの係合面と被係合部２５ｉの被係合面が天板３４ｉの一辺の長さの１／３以上の長さで略倣うように係合可能になっている。
【００４１】
図２３（ｄ）の例は、蓋３０ｊの天板３４ｊの非隅部の領域に、平面視略三角形の凹部３５４ｊと平面視略三角形の凸部３５３ｊが交互に形成された係合部３５ｊが設けられている。容器本体２０ｊには、底部２１ｊの一方の対向辺箇所に対応して平面視略三角形の凸部２５３ｊと平面視略三角形の凹部２５２ｊが交互に形成された被係合部２５ｊが設けられている。係合部３５ｊの凹部３５４ｊ及び凸部３５３ｊと、被係合部２５ｊの凸部２５３ｊ及び凹部２５２ｊは略鋸歯状に噛み合い、係合部３５ｊの係合面と被係合部２５ｊの被係合面が天板３４ｊの一辺の長さの１／３以上の長さで略倣うように係合可能になっている。
【００４２】
図２３（ｅ）の例は、蓋３０ｋの天板３４ｋに係合部３５ｄの凹部３５４ｄよりも長さが長く浅い丸みを帯びた凹部３５４ｋとその両側の丸みを帯びた凸部３５３ｋで係合部３５ｋが形成されている。容器本体２０ｋには、底部２１ｋの一方の対向辺箇所に対応して長さが長く高さの低い丸みを帯びた凸部２５３ｋとその両側の丸みを帯びた凹部２５２ｋで被係合部２５ｋが形成されている。係合部３５ｋの凹部３５４ｋ及び凸部３５３ｋはそれぞれ被係合部２５ｋの凸部２５３ｋ及び凹部２５２ｋに噛み合うように係合されて、係合部３５ｋの係合面と被係合部２５ｋの被係合面が天板３４ｋの一辺の長さの１／３以上の長さで略倣うように係合可能になっている。
【００４３】
図２３（ｆ）の例は、蓋３０ｌの天板３４ｌに中央の凸部３５３１ｌ、その両側の凹部３５４ｌ、凹部３５４ｌの外側の凸部３５３２ｌで係合部３５ｌが形成されている。容器本体２０ｌには、底部２１ｌの一方の対向辺箇所に対応して中央の凹部２５２１ｌ、その両側の凸部２５３ｌ、凸部２５３ｌの外側の凹部２５２２ｌで被係合部２５ｌが形成されている。係合部３５ｌの凸部３５３１ｌ、凹部３５４ｌ、凸部３５３２ｌは、それぞれ被係合部２５ｌの凹部２５２１ｌ、凸部２５３ｌ、凹部２５２２ｌに噛み合うように係合されて、係合部３５ｌの係合面と被係合部２５ｌの被係合面が天板３４ｌの一辺の長さの１／３以上の長さで略倣うように係合可能になっている。
【００４４】
図２４（ａ）の例は、蓋３０ｍの天板３４ｍに中央の凸部３５３１ｍ、その両側の凹部３５４ｍ、凹部３５４ｍの外側の凸部３５３１ｍよりも高さの低い凸部３５３２ｍで係合部３５ｍが形成されている。容器本体２０ｍには、底部２１ｍの一方の対向辺箇所に対応して中央の凹部２５２１ｍ、その両側の凸部２５３ｍ、凸部２５３ｍの外側の凹部２５２１ｍよりも深さの小さい凹部２５２２ｍで被係合部２５ｍが形成されている。係合部３５ｍの凸部３５３１ｍ、凹部３５４ｍ、凸部３５３２ｍは、それぞれ被係合部２５ｍの凹部２５２１ｍ、凸部２５３ｍ、凹部２５２２ｍに噛み合うように係合されて、係合部３５ｍの係合面と被係合部２５ｍの被係合面が略倣うように係合可能になっている。
【００４５】
図２４（ｂ）の例は、蓋３０ｎの天板３４ｎに中央の凸部３５３ｎ、その両側の側部３５５ｎで係合部３５ｎが形成され、凸部３５３ｎ、側部３５５ｎは平面視略矩形に形成されている。容器本体２０ｎには、底部２１ｎの一方の対向辺箇所に対応して中央の凹部２５２１ｎ、その両側の凹部２５２１ｎよりも深さの浅い凹部２５２２ｎで被係合部２５ｎが形成されている。係合部３５ｎの凸部３５３ｎ、側部３５５ｎはそれぞれ被係合部２５ｎの凹部２５２１ｎ、凹部２５２２ｎに入り込むように係合されて、係合部３５ｎの係合面と被係合部２５ｎの被係合面が略倣うように係合可能になっている。
【００４６】
図２４（ｃ）の例は、蓋３０ｏの天板３４ｏに平面視略三角形の係合部３５ｏが形成されている。容器本体２０ｏには、底部２１ｏの一方の対向辺箇所に対応して平面視略三角形の被係合部２５ｏが形成されている。係合部３５ｏは被係合部２５ｏに入り込むように係合されて、係合部３５ｏの係合面と被係合部２５ｏの被係合面が略倣うように係合可能になっている。
【００４７】
図２４（ｄ）の例は、蓋３０ｐの天板３４ｐに内向きの係合面が内側に凸の弧状面になっている係合部３５ｐが形成されている。容器本体２０ｐには、底部２１ｐの一方の対向辺箇所に対応して外向きの被係合面が外側に凹の弧状面になっている被係合部２５ｐが形成されている。係合部３５ｐは被係合部２５ｐに入り込むように係合されて、係合部３５ｐの係合面と被係合部２５ｐの被係合面が天板３４ｐの一辺の長さの１／３以上の長さで略倣うように係合可能になっている。
【００４８】
図２４（ｅ）の例は、蓋３０ｑの天板３４ｑに内向きの係合面が平面視略三角形の山形になっている係合部３５ｑが形成されている。容器本体２０ｑには、底部２１ｑの一方の対向辺箇所に対応して外向きの被係合面が平面視略三角形の谷形になっている被係合部２５ｑが形成されている。係合部３５ｑは被係合部２５ｑに入り込むように係合されて、係合部３５ｑの係合面と被係合部２５ｑの被係合面が天板３４ｑの一辺の長さの１／３以上の長さで略倣うように係合可能になっている。
【００４９】
図２４（ｆ）の例は、蓋３０ｒの天板３４ｒに平面視略長方形で天板３４ｒの側辺方向に長い係合部３５ｒが形成されている。容器本体２０ｒには、底部２１ｒの一方の対向辺箇所に対応して平面視略長方形の被係合部２５ｒが形成されている。係合部３５ｒは被係合部２５ｒに入り込むように係合されて、係合部３５ｒの係合面と被係合部２５ｒの被係合面が天板３４ｒの一辺の長さの１／３以上の長さで略倣うように係合可能になっている。
【００５０】
また、上記実施形態の蓋付き包装用容器１０、容器本体２０、蓋３０は平面視略矩形とし、図示例では平面視略正方形としたが、この矩形は長方形とすることも可能である。また、本発明の蓋付き包装用容器とこれを構成する容器本体と蓋の平面視形状はこれ以外にも本発明の趣旨の範囲内で適宜であり、天板の対向する二辺に対応する側壁の近傍で且つ非隅部の領域に上方に突出する係合部を設け、容器本体の側壁に係合部に係合可能な被係合部を形成できる形状であれば本発明に含まれる。
【００５１】
また、本発明の蓋付き包装用容器に収容する食品、食材はサラダ、惣菜など適宜である。また、本発明の蓋付き包装用容器は透明なものとすると好適であるが、容器本体と蓋のいずれか一方又は双方を不透明なものとすることも可能である。また、本発明の蓋付き包装用容器の容器本体、蓋を形成する合成樹脂は適宜であり、例えばポリオレフィン系樹脂、ポリスチレン系樹脂、ポリエステル系樹脂等、並びにこれらの２種類以上の樹脂のブレンドを用いることが可能である。
【産業上の利用可能性】
【００５２】
本発明は、例えば惣菜、サラダ等の食品や食材を収容する蓋付き包装用容器として利用することができる。
【符号の説明】
【００５３】
１０…蓋付き包装用容器  ２０、２０α…容器本体  ２１…底部  ２２、２２α…側壁  ２３…被嵌合部  ２４…フランジ部  ２５…被係合部  ２５１…被係合面  ２５２…凹部  ２５３…凸部  ３０、３０ａ…蓋  ３１…フランジ  ３２…嵌合部  ３３…側壁  ３４、３４ａ…天板  ３５、３５ａ…係合部  ３５１…傾斜面  ３５２…係合面  ３５３、３５３ａ…凸部  ３５４、３５４ａ…凹部  ２０ａ、２０ｂ、２０ｃ、２０ｄ、２０ｅ、２０ｆ、２０ｇ、２０ｈ、２０ｉ、２０ｊ、２０ｋ、２０ｌ、２０ｍ、２０ｎ、２０ｏ、２０ｐ、２０ｑ、２０ｒ…容器本体  ２１ａ、２１ｂ、２１ｃ、２１ｄ、２１ｅ、２１ｆ、２１ｇ、２１ｈ、２１ｉ、２１ｊ、２１ｋ、２１ｌ、２１ｍ、２１ｎ、２１ｏ、２１ｐ、２１ｑ、２１ｒ…底部  ２５ａ、２５ｂ、２５ｃ、２５ｄ、２５ｅ、２５ｆ、２５ｇ、２５ｈ、２５ｉ、２５ｊ、２５ｋ、２５ｌ、２５ｍ、２５ｎ、２５ｏ、２５ｐ、２５ｑ、２５ｒ…被係合部  ２５２ａ、２５２ｂ、２５２ｃ、２５２ｄ、２５２１ｅ、２５２２ｅ、２５２ｆ、２５２ｇ、２５２ｈ、２５２ｉ、２５２ｊ、２５２ｋ、２５２１ｌ、２５２２ｌ、２５２１ｍ、２５２２ｍ、２５２１ｎ、２５２２ｎ…凹部  ２５３ａ、２５３ｂ、２５３ｃ、２５３ｄ、２５３ｅ、２５３ｇ、２５３ｈ、２５３ｉ、２５３ｊ、２５３ｋ、２５３ｌ、２５３ｍ…凸部  ３０ａ、３０ｂ、３０ｃ、３０ｄ、３０ｅ、３０ｆ、３０ｇ、３０ｈ、３０ｉ、３０ｊ、３０ｋ、３０ｌ、３０ｍ、３０ｎ、３０ｏ、３０ｐ、３０ｑ、３０ｒ…蓋  ３４ａ、３４ｂ、３４ｃ、３４ｄ、３４ｅ、３４ｆ、３４ｇ、３４ｈ、３４ｉ、３４ｊ、３４ｋ、３４ｌ、３４ｍ、３４ｎ、３４ｏ、３４ｐ、３４ｑ、３４ｒ…天板  ３５ａ、３５ｂ、３５ｃ、３５ｄ、３５ｅ、３５ｆ、３５ｇ、３５ｈ、３５ｉ、３５ｊ、３５ｋ、３５ｌ、３５ｍ、３５ｎ、３５ｏ、３５ｐ、３５ｑ、３５ｒ…係合部  ３５３ａ、３５３ｂ、３５３ｃ、３５３ｄ、３５３１ｅ、３５３２ｅ、３５３ｆ、３５３ｇ、３５３ｈ、３５３ｉ、３５３ｊ、３５３ｋ、３５３１ｌ、３５３２ｌ、３５３１ｍ、３５３２ｍ、３５３ｎ…凸部  ３５４ａ、３５４ｂ、３５４ｃ、３５４ｄ、３５４ｅ、３５４ｇ、３５４ｈ、３５４ｉ、３５４ｊ、３５４ｋ、３５４ｌ、３５４ｍ…凹部  ３５５ｎ…側部
【図１】
2018095266.tif 000003
【図２】
2018095266.tif 000004
【図３】
2018095266.tif 000005
【図４】
2018095266.tif 000006
【図５】
2018095266.tif 000007
【図６】
2018095266.tif 000008
【図７】
2018095266.tif 000009
【図８】
2018095266.tif 000010
【図９】
2018095266.tif 000011
【図１０】
2018095266.tif 000012
【図１１】
2018095266.tif 000013
【図１２】
2018095266.tif 000014
【図１３】
2018095266.tif 000015
【図１４】
2018095266.tif 000016
【図１５】
2018095266.tif 000017
【図１６】
2018095266.tif 000018
【図１７】
2018095266.tif 000019
【図１８】
2018095266.tif 000020
【図１９】
2018095266.tif 000021
【図２０】
2018095266.tif 000022
【図２１】
2018095266.tif 000023
【図２２】
2018095266.tif 000024
【図２３】
2018095266.tif 000025
【図２４】
2018095266.tif 000026